(57)【要約】【課題】  土壌を使用する必要が無く取り扱いが簡便かつ衛生的で、かつ、観葉植物を任意の組み合わせで飾ることができ、しかも、観葉植物の交換や水やり等のメンテナンスも容易なカートリッジ式プランターを提供すること。【解決手段】  観葉植物Ｐを植栽するためのプランターであって、プラスチック材料により長手の有底中空状に成形された容器本体１の上部には、複数の差込孔11・11…を列設する一方、観葉植物Ｐの根部を吸水マット３により巻回されて抱持した状態で、筒体２の内側に挿入して、かつ、これらの筒体２・２…を前記容器本体１の差込孔11・11…にそれぞれ着脱自在に嵌挿可能にするとともに、前記容器本体１の内部には水を充填可能にして、少なくとも前記吸水マット３の下端部に浸漬可能に構成するという技術的手段を採用した。【選択図】  図１
2013094146.tif 000002
【特許請求の範囲】
【請求項１】
観葉植物（Ｐ）を植栽するためのプランターであって、
プラスチック材料により長手の有底中空状に成形された容器本体（１）の上部には、複数の差込孔（11・11…）が列設されている一方、
観葉植物（Ｐ）の根部が吸水マット（３）により巻回されて抱持された状態で、筒体（２）の内側に挿入されており、かつ、これらの筒体（２・２…）が前記容器本体（１）の差込孔（11・11…）にそれぞれ着脱自在に嵌挿可能であるとともに、
前記容器本体（１）の内部には水が充填可能であって、少なくとも前記吸水マット（３）の下端部に浸漬可能に構成したことを特徴とするカートリッジ式プランター。
【請求項２】
容器本体（１）の上面および下面にそれぞれ給水孔（12）および排水孔（13）が形成されていることを特徴とする請求項１記載のカートリッジ式プランター。
【請求項３】
容器本体（１）の内部には、収容水位が所定を超えて高くなったとき、排出させる水位保持用の吐き口（14）が設けられていることを特徴とする請求項１または２記載のカートリッジ式プランター。
【請求項４】
筒体（２）が下端部に向けて外径サイズが逓減するテーパ状に形成されていることを特徴とする請求項１〜３の何れか一つに記載のカートリッジ式プランター。
【請求項５】
筒体（２）の下端部に切欠部（21）が形成されていることを特徴とする請求項１〜４の何れか一つに記載のカートリッジ式プランター。
【請求項６】
容器本体（１）の差込孔（11）内に、筒体（２）が傾斜した状態で嵌挿可能であることを特徴とする請求項１〜５の何れか一つに記載のカートリッジ式プランター。
【請求項７】
吸水マット（３）がアクリル製糸とポリエチレンテレフタレート製糸とを混合して絡ませて構成された不織布であることを特徴とする請求項１〜６の何れか一つに記載のカートリッジ式プランター。
【請求項８】
容器本体（１）内部の底面にゼオライトが敷設可能であることを特徴とする請求項１〜７の何れか一つに記載のカートリッジ式プランター。
【発明の詳細な説明】
【技術分野】
【０００１】
本発明は、緑化プランターの改良、更に詳しくは、土壌を使用する必要が無く取り扱いが簡便かつ衛生的で、かつ、観葉植物を任意の組み合わせで飾ることができ、しかも、観葉植物の交換や水やり等のメンテナンスも容易なカートリッジ式プランターに関するものである。
【背景技術】
【０００２】
周知のとおり、近年では、「ヒートアイランド現象（人工排熱の増加、人工被覆の増加および自然空間の喪失という都市における人工化の過剰な進展から生ずる、熱大気汚染をいう。）」が環境問題となっており、熱中症などの健康影響や二酸化炭素排出量の増加などの影響をもたらすおそれがあるため、その対策として、ビルディングの屋上や壁面などに花壇やプランターなどを設置する緑化運動が盛んに行われている。
【０００３】
従来、このような緑化のために構成された構造体として、パイプ状の部材の内部に形成された中空部分に観葉植物を植栽し、適宜連結して使用するものが開示されている（例えば、特許文献１参照）。
【０００４】
しかしながら、かかる構造の植栽プランターは、植物を植えるための土壌を容器内に収容しているため、この土壌を交換するのに非常に手間がかかるし、土がこぼれて周囲を汚してしまうというおそれがある。
【０００５】
また、観葉植物を土壌に埋設してしまうために、展示できる植物の種類が限定されてしまうし、一部が枯れたり模様替えのために植物を交換しようとする場合にも、その都度土壌を掘り返したり入れ換えたりせねばならず、非常に手間がかかってしまうという問題があった。
【先行技術文献】
【特許文献】
【０００６】
【特許文献１】特開２００４−２５４６２０号公報
【発明の概要】
【発明が解決しようとする課題】
【０００７】
本発明は、従来の植栽プランターに上記のような問題があったことに鑑みて為されたものであり、その目的とするところは、土壌を使用する必要が無く取り扱いが簡便かつ衛生的で、かつ、観葉植物を任意の組み合わせで飾ることができ、しかも、観葉植物の交換や水やり等のメンテナンスも容易なカートリッジ式プランターを提供することにある。
【課題を解決するための手段】
【０００８】
本発明者が上記技術的課題を解決するために採用した手段を、添付図面を参照して説明すれば、次のとおりである。
【０００９】
即ち、本発明は、観葉植物Ｐを植栽するためのプランターであって、
プラスチック材料により長手の有底中空状に成形された容器本体１の上部には、複数の差込孔11・11…を列設する一方、観葉植物Ｐの根部を吸水マット３により巻回されて抱持した状態で、筒体２の内側に挿入して、かつ、これらの筒体２・２…を前記容器本体１の差込孔11・11…にそれぞれ着脱自在に嵌挿可能にするとともに、前記容器本体１の内部には水を充填可能にして、少なくとも前記吸水マット３の下端部に浸漬可能に構成するという技術的手段を採用したことによって、カートリッジ式プランターを完成させた。
【００１０】
また、本発明は、上記課題を解決するために、必要に応じて上記手段に加え、容器本体１の上面および下面にそれぞれ給水孔12および排水孔13を形成するという技術的手段を採用することができる。
【００１１】
更にまた、本発明は、上記課題を解決するために、必要に応じて上記手段に加え、容器本体１の内部には、収容水位が所定を超えて高くなったとき、排出させる水位保持用の吐き口14を設けるという技術的手段を採用することができる。
【００１２】
更にまた、本発明は、上記課題を解決するために、必要に応じて上記手段に加え、筒体２を下端部に向けて外径サイズが逓減するテーパ状に形成するという技術的手段を採用することができる。
【００１３】
更にまた、本発明は、上記課題を解決するために、必要に応じて上記手段に加え、筒体２の下端部に切欠部21を形成するという技術的手段を採用することができる。
【００１４】
更にまた、本発明は、上記課題を解決するために、必要に応じて上記手段に加え、容器本体１の差込孔11内に、筒体２を傾斜させた状態で嵌挿可能にするという技術的手段を採用することができる。
【００１５】
更にまた、本発明は、上記課題を解決するために、必要に応じて上記手段に加え、吸水マット３をアクリル製糸とポリエチレンテレフタレート製糸とを混合して絡ませて構成された不織布にするという技術的手段を採用することができる。
【００１６】
更にまた、本発明は、上記課題を解決するために、必要に応じて上記手段に加え、容器本体１内部の底面にゼオライトを敷設可能にするという技術的手段を採用することができる。
【発明の効果】
【００１７】
本発明にあっては、プラスチック材料により長手の有底中空状に成形された容器本体の上部には、複数の差込孔を列設する一方、観葉植物の根部を吸水マットにより巻回して抱持した状態で、筒体の内側に挿入して、かつ、これらの筒体を前記容器本体の差込孔にそれぞれ着脱自在に嵌挿可能にするとともに、前記容器本体の内部には水を充填可能にして、少なくとも前記吸水マットの下端部に浸漬可能に構成したことによって、土壌を使用する必要が無いために、簡便かつ衛生的に取り扱うことができる。
【００１８】
また、本発明のカートリッジ式プランターによれば、観葉植物を任意の組み合わせで飾ることができて観葉植物の交換が容易であり、また、必要に応じて、容器本体を複数連結して壁面等に設置することができるし、更に、潅水装置を設置することによって、水やり等のメンテナンスも容易になることから、産業上の利用価値は頗る大きいと云える。
【図面の簡単な説明】
【００１９】
【図１】本発明の第１実施形態のプランターを表わす分解斜視図である。
【図２】本発明の第１実施形態のプランターの使用状態を表わす斜視図である。
【図３】本発明の第１実施形態のプランターの使用状態を表わす斜視図である。
【図４】本発明の第１実施形態のプランターの使用状態を表わす斜視図である。
【図５】本発明の第１実施形態のプランターの使用状態を表わす正面図である。
【図６】本発明の実施形態の筒体の変形例を表わす正面図である。
【図７】本発明の実施形態の容器本体の変形例を表わす斜視図である。
【図８】本発明の第２実施形態の容器本体を表わす斜視正面図である。
【図９】本発明の第２実施形態のプランターを表わす説明断面図である。
【図１０】本発明の第２実施形態のプランターの使用状態を表わす側面図である。
【図１１】本発明の第２実施形態のプランターの使用状態を表わす側面図である。
【発明を実施するための形態】
【００２０】
本発明を実施するための形態を、具体的に図示した図面に基づいて、更に詳細に説明すると、次のとおりである。
【００２１】
『第１実施形態』
本発明の第１実施形態を図１から図７に基づいて説明する。図中、符号１で指示するものは容器本体であり、この容器本体１は、塩化ビニル（ＰＶＣ）やポリエチレン（ＰＥ）などの熱可塑性のプラスチック材料により長手の有底中空状に成形して、上部には、複数の差込孔11・11…を列設する。
【００２２】
また、符号２で指示するものは筒体であり、この筒体２は、塩化ビニルやポリエチレンなどの熱可塑性のプラスチック材料により筒状に成形し、本実施形態では、円筒状に成形する。
【００２３】
更にまた、符号３で指示するものは吸水マットであり、この吸水マット３は、間隙を有して保水性を有するシート状の部材であって、本実施形態では、アクリル（ＰＭＭＡ）製糸とポリエチレンテレフタレート（ＰＥＴ）製糸とを混合して絡ませて構成された不織布を採用する。
【００２４】
このアクリル製糸は、糸自体が吸水性を有するとともに、捲縮した糸間にも保水性を有する。また、ポリエチレンテレフタレート製糸は、適度な剛性を有しつゝ捲縮しており、この捲縮により糸間に空気層を形成する。そしてこれら異種の糸を混合（例えば重量比１：１）して絡ませることによって保水性および空気層の両方を併せ持つマット部材が構成される。なお、保水性を有する糸の材料としては、レーヨンを採用することもでき、また、空気層を形成する糸の材料としては、ポリプロピレン（ＰＰ）やポリエチレン（ＰＥ）を採用することもできる。
【００２５】
しかして、本実施形態は、観葉植物Ｐを植栽するためのプランターであって、構成するにあっては、まず、プラスチック材料により長手の有底中空状に成形された容器本体１の上部には、開口した複数の差込孔11・11…を列設する。本実施形態では、容器本体１を直棒状に成形するとともに、差込孔11を一列の直線上に列設する。
【００２６】
次に、観葉植物Ｐの根部を吸水マット３により巻回して抱持した状態で、筒体２の内側に挿入する。本実施形態では、観葉植物Ｐの根部の周囲を吸水マット３により数回巻回して抱持する（図２参照）。
【００２７】
然る後、観葉植物Ｐおよび吸水マット３を収容したこれらの筒体２・２…を前記容器本体１の差込孔11・11…にそれぞれ嵌挿する（図３参照）。
【００２８】
そして、前記容器本体１の内部には水が充填可能であって、少なくとも前記吸水マット３の下端部に浸漬することができる。
【００２９】
本実施形態では、容器本体１の上面および下面にそれぞれ給水孔12および排水孔13を形成することができ、図４および図５に示すように、複数の容器本体１を上下に連結することができる。この際、ポンプ等の潅水装置Ｗを適宜配置して、容器本体１の内部に水を送入して観葉植物Ｐに水を供給することができる。
【００３０】
なお、本実施形態では、筒体２の形状を図６に示すように適宜変更することができる。まず、筒体２を下端部に向けて外径サイズが逓減するテーパ状に形成することができ、筒体２に挿入した観葉植物Ｐおよび吸水マット３を圧縮保持することができ、筒体２への着脱の際に吸水マット３の抜け落ちを防止して一体に取り扱うことができる。
【００３１】
また、筒体２の下端部に切欠部21を形成することができ、筒体２の下端が容器本体１の底面に接していても、当該筒体２の下端が塞がることなくこの切欠部21から通水することができる。更にまた、上端部にフランジ22を形成して、差込孔11の開口部に掛止できるようにすることもできる。そしてまた、胴部に通気孔23を形成して、空気を通り易くすることもできる。
【００３２】
更に、本実施形態では、容器本体１内部の底面に粒状またはシート状のゼオライトを敷設することもでき、根腐れを防止することができる。
【００３３】
更にまた、本実施形態では、図７に示すように、容器本体１をブロー成形によって中空に形成することもでき、この際、差込孔11は適宜刳り抜いて形成する。こうすることによって、製造工程を簡素化するでき、かつ、軽量化することができる。
【００３４】
『第２実施形態』
本発明の第２実施形態を図８から図１１に基づいて説明する。本実施形態では、容器本体１の差込孔11内に、筒体２を傾斜した状態で嵌挿可能にする。この際、筒体２が容器本体１の底面に適合するように下端部も斜めにする（図８および図９参照）。
【００３５】
このように構成することによって、図１０に示すように、容器本体１を上下に連結した場合においても、省スペースで多くの観葉植物Ｐを配置することができる。なお、本実施形態においても、図１１に示すように、適宜、潅水装置Ｗを配置することができる。
【００３６】
なお、本実施形態では、容器本体１内部の底面に水位保持用の吐き口14を設けることができ、収容水位が所定を超えて高くなったとき、この吐き口14の上端レベルを超えた水を排水孔13から排出させることによって、容器本体１内の適切な水位を保つことができる。
【００３７】
本発明は、概ね上記のように構成されるが、図示の実施形態に限定されるものでは決してなく、「特許請求の範囲」の記載内において種々の変更が可能であって、例えば、容器本体１は、直棒状のものに限らず、Ｌ字型のものや曲線状のものを採用することができるし、また、差込孔11の配列も一直線状に限らず、複数列や千鳥状にすることもできる。
【００３８】
更にまた、吸水マット３には、連続気泡を有して吸水性のあるプラスチック製スポンジ部材などを採用することもでき、これら何れのものも本発明の技術的範囲に属する。
【符号の説明】
【００３９】
１    容器本体
11    差込孔
12    給水孔
13    排水孔
14    吐き口
２    筒体
21    切欠部
22    フランジ
23    通気孔
３    吸水マット
Ｐ    観葉植物
Ｗ    潅水装置
【図１】
2013094146.tif 000003
【図２】
2013094146.tif 000004
【図３】
2013094146.tif 000005
【図４】
2013094146.tif 000006
【図５】
2013094146.tif 000007
【図６】
2013094146.tif 000008
【図７】
2013094146.tif 000009
【図８】
2013094146.tif 000010
【図９】
2013094146.tif 000011
【図１０】
2013094146.tif 000012
【図１１】
2013094146.tif 000013